(57)【要約】【課題】  毛髪の損傷部分を補い、又は、形成維持に使用する際の、ヘアケア及びスタイリング美容用器具を提供することにある。【解決手段】  美容用器具（図１）は、本体（図３）に装着されるカートリッジ式（図４）に付着している、ヘアケア及びスタイリング剤等の２と１で毛髪を挟みスライドさせ手指を汚す事無く、塗布できる毛髪の美容処理方法である。【選択図】  図２
2006020993.tif 000002
【特許請求の範囲】
【請求項１】
美容用器具本体（図３）にカートリッジ式（図４）のヘアケア及びスタイリング剤等を装着することを特徴とする美容用器具
【請求項２】
毛髪を１と２で挟み、毛先に向かいスライドさせ、塗布できることを特徴とする美容用器具
【請求項３】
カートリッジ式（図４）にすることにより、美容用器具本体（図３）の再利用が可能であることと共にヘアケア剤及びスタイリング剤等の使用変更可能を特徴とする美容用器具
【発明の詳細な説明】
【技術分野】
【０００１】  本発明は、美容用器具及び美容方法に関する。更に詳しくは、例えば、毛髪の損傷部分を補う為のヘアケア剤、又は毛髪形成維持に用いるスタイリング剤等を使用する場合、手指に取って両手で伸ばし毛髪へ塗布する必要がなく、また使用後、手指を洗い拭き取る必要がなく、ヘアケア及びスタイリング作用を手早く行うことができ、均等に塗布できる美容用器具及び美容方法に関する。
【背景技術】
【０００２】  一般にヘアケア及びスタイリングを行う場合は、液体状及び固形状で、チューブ式やカップ容器等を用いて、直接手指に触れるものが広く使用されている。【０００３】  上記ヘアケア剤及びスタイリング剤等の使用方法は、次のようなものである。即ち、毛髪損傷部分にヘアケア剤を塗布する際、ヘアケア剤を手指に取り、両手で伸ばし毛髪に塗布する。もう一方は、毛髪形成維持を目的にした場合、スタイリング剤も同様に両手で伸ばし毛髪に塗布する。使用後は、手指を洗うか、拭き取る作業を行う。
【発明の開示】
【発明が解決しようとする課題】
【０００４】  しかしながら、（０００２）記載の商品によれば次のような課題があった。即ち、従来のヘアケア及びスタイリング剤等を使用した場合、手指に取り、毛髪へ塗布すると、手指がベタつき滑りやすくなる為、次の作業への支障をきたすので、使用後は、手指を洗い流すか、拭き取る等の作業が必要であり、作業効率を低下させるものであった。
【本発明の目的】
【０００５】  そこで、本発明の目的は、例えば、毛髪の損傷部分にヘアケア剤を塗布する際、手指に直接触れず毛髪の形成維持の為のスタイリング剤も同様、手指を洗い流し、拭き取る必要がなく、外出時にも使用可能で、持ち運び便利な使い勝手のよい美容用器具及び美容方法を提供することを課題とする
【課題を解決するための手段】
【０００６】  第一の発明にあっては、美容用器具本体（図３）にカートリッジ式（図４）の毛髪の損傷部分を補うヘアケア剤、ならびにヘアスタイル形成維持に用いられるスタイリング剤等を２に付着させたもの（図４）を美容用器具本体（図３）に装着させ使用することを特徴とする美容用器具である。
【０００７】  第二の発明にあっては、美容用器具（図２）の１ａと１ｂを片手で持ち、毛髪を１と２で挟み、毛先に向かいスライドさせることで、均等に塗布でき手指を汚す必要がないことを特徴とする第一の発明に係る美容用器具である。
【０００８】  第三の発明にあっては、カートリッジ式（図４）にすることにより、美容用器具本体の（図３）の再利用が可能であることと共にヘアケア剤及びスタイリング剤等の使用変更可能を特徴とし、第一、または第二の発明に係る美容用器具である。
【０００９】  美容用器具の本体（図３）の材料としては、例えば、プラスチック類や金、銀、あるいは、その他の金属や各種合金類を挙げることができるが、これらに限定するものではない。
【発明の効果】
【００１０】  本発明は、上記構成を備え次の効果を有する。
（ａ）本発明に係る美容用器具は、カートリッジ式（図４）にすることによって毛髪の損傷部分を補うへアケア剤、及びヘアスタイルの形成維持に用いられるスタイリング剤等の付着部分を使用変更、交換することができ、更に使用後もカートリッジの変更のみにより美容用器具は、使い続けることができ、再利用可能とする。
【００１１】（ｂ）本発明に係る美容用器具で、毛髪を挟みスライドさせることにより、手指を汚す事無く、毛髪へ塗布できると共に、手指で塗布するよりも均等に塗布できることを可能にした。
【発明の実施形態】
【００１２】  本発明を図面に示した実施形態に基づき、更に詳細に説明する。（図１）と（図２）は、本発明に係る美容用器具の実施形態を示す説明図。
【００１３】  （図３）は、美容用器具（図２）からカートリッジを外した状態を示す説明図である。
【００１４】  装着部材４は、カートリッジ（図４）を装着した場合に固定できるよう突起状に形成されており、（図４）を挿入して固定し、一体化する。後も取り外せるようになっている。
【００１５】  本発明の美容用器具は、プラスチック製であり、（図４）で示す２は、ヘアケア剤及びスタイリング剤付着部分であり、５の突起により２を固定するものである。
【００１６】  （図５）は、本発明に係る美容用器具の保管の為のケースとし、６は、突出し、６ａは、くぼんでいるので、装着した際の固定を設ける。
【００１７】  （図５）を（図２）に装着し、側面から見た美容用器具が、（図６）であり、更に上から見た図が、（図７）である。
【００１８】  美容用器具を使用するに至って、開閉が安易に行えるよう、８にスプリングバネを内蔵する。
【実施例】
【００１９】  （図８）は、美容用器具を使用する状態を示し、作用を説明する。【００２０】  美容用器具４ａに３ａを挿入し、４の突起で固定させ装着させる。【００２１】  上記のようにして美容用器具を以下の手順で美容方法を行う。
・片手に美容用器具１ａと１ｂを持ち、もう片方の手で毛髪の損傷部分、及び形成維持を希望する箇所を持ち、美容用器具で挟み毛先に向かってスライドさせる。【００２２】  このように美容用器具（図１）ないし（図２）を使用すれば、ヘアケア、及びスタイリング剤等が、手指に付くことがないので従来のヘアケア、及びスタイリング剤等を手指に取り両手で伸ばして毛髪へ塗布した場合に比べると、作業効率を向上させることができる。【００２３】  本明細書で使用している用語と表現はあくまで説明上のものであって、限定的なものではなく、上記用語、表現と等価の用語、表現を除外するものではない。又、本発明は、図示の実施形態に限定されるものではなく、技術思想の範囲内において種々の変形が可能である。
【産業上の利用可能性】
【００２４】  本発明に係る美容用器具は、カートリッジ式（図４）にすることにより毛髪損傷部分を補うヘアケア剤及びヘアスタイル形成維持に用いられるスタイリング剤等の使用後、美容用器具を再利用できる。【００２５】  本発明に係る美容用器具で、毛髪を挟み滑らすことで、手指に直接触れずに塗布でき、手指で塗布するよりも均等に塗布できることを可能とする。【００２６】  本発明に係る美容用器具のカートリッジを取り替えることで、使用目的、用途に応じ幅広く活用できる。
【図面の簡単な説明】
【００２７】
【図１】本発明に係る美容用器具の形態を側面から見た説明図
【図２】（図１）に示す美容用器具を閉じて側面から見た説明図
【図３】美容用器具本体、再利用可能を示す説明図
【図４】美容用器具に着脱する使用目的変更及び取替えの実施形態を示す説明図
【図５】美容用器具の使用後、保管用カバーを示す説明図
【図６】（図２）に（図５）を装着した状態を示す説明図
【図７】（図６）を上位から見た説明図
【図８】美容用器具で毛髪にヘアケア剤を塗布している状態を示す説明図
【図９】美容用器具で毛髪にスタイリング剤を塗布している状態を示す説明図
【図１０】従来の塗布作業の状態を示す説明図
【符号の説明】
【００２８】１  美容用器具
１ａ、１ｂ  取っ手
２  ケア剤、スタイリング剤等付着部分
３  カートリッジ
３ａ  美容用器具本体４ａへの挿入口
４  装着時の固定部
４ａ  カートリッジ３ａからの挿入口
５  ケア剤、スタイリング剤等の離脱防止突起部
６  突起。カバー装着時の固定部
６ａ  くぼみ。カバー装着時の６の突起と重なる
７  カバー
８  開閉時のスプリングバネ内蔵
９  毛髪
【図１】
2006020993.tif 000003
【図２】
2006020993.tif 000004
【図３】
2006020993.tif 000005
【図４】
2006020993.tif 000006
【図５】
2006020993.tif 000007
【図６】
2006020993.tif 000008
【図７】
2006020993.tif 000009
【図８】
2006020993.tif 000010
【図９】
2006020993.tif 000011
【図１０】
2006020993.tif 000012